(57)【要約】      （修正有）【課題】クランパとの間にディスクを挟んで保持するタイプのモータにおいて、シャフトとターンテーブルとの固定強度を確保しつつ、クランパ側に設けられた突起を利用してモータとクランパとを調芯できる構造を、提供する。【解決手段】ターンテーブルは、平板部の内周部から上方へ向けて延びる円筒部を有する。そして、シャフトの外周面に、円筒部が固定されている。また、調芯部材は、中央に設けられた円孔の周囲かつ円筒部の上方に位置するガイド部を有する。そして、ガイド部の上面に、内周面側へ向かうにつれて下方へ傾斜する傾斜面が、設けられている。このようにすれば、ターンテーブルの円筒部を利用して、シャフトとターンテーブルとを、強固に固定できる。また、ターンテーブルの円筒部とクランパの調芯突起との接触を抑制しつつ、クランパの調芯突起をガイド部の内側へ案内できる。これにより、モータとクランパとを、円滑に調芯できる。【選択図】図３
2012243370.tif 000002
【特許請求の範囲】
【請求項１】
静止部と、
前記静止部に対して回転可能に支持される回転部と、
を備え、
前記回転部は、
上下に延びる中心軸に沿って配置されたシャフトと、
前記シャフトとともに回転するロータホルダと、
前記ロータホルダに固定されたロータマグネットと、
前記ロータホルダより上方において前記シャフトに固定され、リムーバブルメディアであるディスクを載置したときに、ディスクの下面を直接的または間接的に支持可能であるターンテーブルと、
前記ターンテーブルの上方に配置され、前記ディスクの内周部を支持する調芯部材と、
を有し、
前記静止部は、
前記シャフトを回転可能に支持する軸受部と、
前記ロータマグネットと径方向に対向する電機子と、
を有し、
前記ターンテーブルは、磁性体からなり、
中心軸に直交する方向に広がる平板部と、
前記平板部の内周部から上方へ向けて延び、前記シャフトの外周面に固定される円筒部と、
を有し、
前記調芯部材は、樹脂からなり、中央に設けられた円孔の周囲かつ前記円筒部の上方に位置するガイド部を有し、
前記ガイド部の上面に、内周面側へ向かうにつれて下方へ傾斜する傾斜面が設けられ、
前記傾斜面が、前記シャフトの上端部より上方に位置するモータ。
【請求項２】
請求項１に記載のモータにおいて、
前記円筒部の上端部が、前記シャフトの上端部より上方に位置するモータ。
【請求項３】
請求項２に記載のモータにおいて、
前記ガイド部の内周縁部が、前記円筒部の上端部の内周面より、径方向内側に位置するモータ。
【請求項４】
請求項１に記載のモータにおいて、
前記円筒部の上端部が、前記シャフトの上端部より下方に位置するモータ。
【請求項５】
請求項４に記載のモータにおいて、
前記ガイド部の内周縁部が、前記シャフトの外周面に接触しているモータ。
【請求項６】
請求項１から請求項５までのいずれかに記載のモータにおいて、
前記調芯部材は、
前記ガイド部の径方向外側に位置する基部と、
前記基部から径方向外側かつ下方へ向けて延びる複数の調芯爪と、
を有し、
前記ターンテーブルの上面のうち、前記調芯爪の下端部に対応する位置に、凹部が設けられているモータ。
【請求項７】
請求項６に記載のモータにおいて、
前記凹部は、前記中心軸を中心とする環状溝であるモータ。
【請求項８】
請求項１から請求項５までのいずれかに記載のモータにおいて、
前記調芯部材は、
前記ガイド部の径方向外側に位置する基部と、
前記基部から径方向外側かつ下方へ向けて延びる複数の調芯爪と、
を有し、
前記ターンテーブルは、前記調芯爪の下端部に対応する位置に、貫通孔を有しているモータ。
【請求項９】
請求項６から請求項８までのいずれかに記載のモータにおいて、
前記調芯部材の前記基部の下面と、前記ターンテーブルの前記平板部の上面とが、接触しているモータ。
【請求項１０】
請求項１から請求項９までのいずれかに記載のモータにおいて、
前記ロータホルダの上面と、前記ターンテーブルの下面とが、接触しているモータ。
【請求項１１】
請求項１から請求項１０までのいずれかに記載のモータにおいて、
前記ターンテーブルの前記平板部は、
ディスクの下面を直接的または間接的に支持する外側平板部と、
前記外側平板部より径方向内側かつ前記調芯部材の下方に位置する内側平板部と、
を有し、
前記外側平板部が、前記内側平板部より高い位置に配置されているモータ。
【請求項１２】
請求項１から請求項１１までのいずれかに記載のモータと、
前記モータの前記回転部に保持されたディスクに対し、情報の読み出しおよび書き込みの少なくとも一方を行うアクセス部と、
前記モータおよび前記アクセス部を収容するハウジングと、
を備えたディスク駆動装置。
【発明の詳細な説明】
【技術分野】
【０００１】
本発明は、モータおよびディスク駆動装置に関する。
【背景技術】
【０００２】
光ディスクドライブ等のディスク駆動装置には、ディスク駆動用のモータが搭載されている。ディスク駆動用のモータには、主として、モータ自体が有するセルフチャック機構でディスクを保持するタイプと、ディスク駆動装置内に設けられたクランパとの間にディスクを挟んで保持するタイプとがある。後者のタイプのモータについては、例えば、特開平１０−１２５０２８号広報や、特開２０００−１７３１４２号広報に、記載されている。
【０００３】
特開平１０−１２５０２８号広報には、マグネットを有するターンテーブルと、磁性体からなるアダプタとで、光ディスクをクランプ保持することが記載されている（要約等）。また、特開２０００−１７３１４２号広報には、永久磁石を有するディスク押え板と、鉄製の回転板とで、ディスクを挟んで保持することが記載されている（段落０００２〜段落０００４）。
【特許文献１】特開平１０−１２５０２８号広報
【特許文献２】特開２０００−１７３１４２号広報
【発明の概要】
【発明が解決しようとする課題】
【０００４】
ターンテーブルとクランパとの間にディスクを挟んで保持するときに、モータの中心軸とクランパの中心とがずれていると、回転体の全体としての重心が、中心軸からずれる。そうすると、モータの駆動時に騒音や振動が生じやすくなる。このような重心のずれを防止するための手段として、例えば、モータの上面の中央に設けられた穴状の空間に、クランパの突起を嵌合させる構造が、考えられる。
【０００５】
しかしながら、当該構造を採用しようとすると、上記の穴状の空間より低い位置に、シャフトを配置しなければならない。したがって、ロータホルダの上面からのシャフトの突出寸法が、制限される。このため、ロータホルダの上方において、シャフトとターンテーブルとを強固に固定することが、困難となる。
【０００６】
本発明の目的は、クランパとの間にディスクを挟んで保持するタイプのモータにおいて、シャフトとターンテーブルとの固定強度を確保しつつ、クランパ側に設けられた突起を利用してモータとクランパとを調芯できる構造を、提供することである。
【課題を解決するための手段】
【０００７】
本願の例示的な第１発明は、静止部と、前記静止部に対して回転可能に支持される回転部と、を備え、前記回転部は、上下に延びる中心軸に沿って配置されたシャフトと、前記シャフトとともに回転するロータホルダと、前記ロータホルダに固定されたロータマグネットと、前記ロータホルダより上方において前記シャフトに固定され、リムーバブルメディアであるディスクを載置したときに、ディスクの下面を直接的または間接的に支持可能であるターンテーブルと、前記ターンテーブルの上方に配置され、前記ディスクの内周部を支持する調芯部材と、を有し、前記静止部は、前記シャフトを回転可能に支持する軸受部と、前記ロータマグネットと径方向に対向する電機子と、を有し、前記ターンテーブルは、磁性体からなり、中心軸に直交する方向に広がる平板部と、前記平板部の内周部から上方へ向けて延び、前記シャフトの外周面に固定される円筒部と、を有し、前記調芯部材は、樹脂からなり、中央に設けられた円孔の周囲かつ前記円筒部の上方に位置するガイド部を有し、前記ガイド部の上面に、内周面側へ向かうにつれて下方へ傾斜する傾斜面が設けられ、前記傾斜面が、前記シャフトの上端部より上方に位置するモータである。
【発明の効果】
【０００８】
本願の例示的な第１発明によれば、ターンテーブルの円筒部を利用して、シャフトとターンテーブルとを、強固に固定できる。また、ターンテーブルの円筒部とクランパの調芯突起との接触を抑制しつつ、クランパの調芯突起をガイド部の内側へ案内できる。これにより、モータとクランパとを、円滑に調芯できる。
【図面の簡単な説明】
【０００９】
【図１】図１は、モータの縦断面図である。
【図２】図２は、ディスク駆動装置の縦断面図である。
【図３】図３は、ブラシレスモータ、クランパ、および光ディスクの縦断面図である。
【図４】図４は、回転部の部分縦断面図である。
【図５】図５は、回転部の部分縦断面図である。
【図６】図６は、回転部の部分縦断面図である。
【図７】図７は、回転部の部分縦断面図である。
【図８】図８は、回転部の部分縦断面図である。
【図９】図９は、回転部の部分縦断面図である。
【発明を実施するための形態】
【００１０】
以下、本発明の例示的な実施形態について、図面を参照しつつ説明する。なお、以下では、モータの中心軸に沿う方向を上下方向とし、ロータホルダに対してターンテーブル側を上として、各部の形状や位置関係を説明する。ただし、これは、説明の便宜のために上下方向を定義したものであって、本発明に係るモータおよびディスク駆動装置の、使用時の向きを限定するものではない。
【００１１】
＜１．一実施形態に係るモータ＞
図１は、本発明の一実施形態に係るモータ１３Ａの縦断面図である。図１に示すように、モータ１３Ａは、静止部２Ａと回転部３Ａとを、備えている。回転部３Ａは、静止部２Ａに対して回転可能に支持されている。
【００１２】
静止部２Ａは、軸受部２２Ａおよび電機子２３Ａを有する。軸受部２２Ａは、回転部３Ａ側のシャフト３１Ａを、回転可能に支持している。電機子２３Ａは、後述するロータマグネット３３と、径方向（中心軸に直交する方向。以下同じ）に対向している。
【００１３】
回転部３Ａは、シャフト３１Ａ、ロータホルダ３２Ａ、ロータマグネット３３Ａ、ターンテーブル３４Ａ、および調芯部材３５Ａを、有する。シャフト３１Ａは、中心軸９Ａに沿って配置されている。ロータホルダ３２Ａは、シャフト３１Ａとともに回転する部材である。ロータマグネット３３Ａは、ロータホルダ３２Ａに固定されている。
【００１４】
ターンテーブル３４Ａは、ロータホルダ３２Ａより上方において、シャフト３１に固定されている。ターンテーブル３４Ａは、リムーバブルメディアであるディスク９０Ａを載置したときに、ディスク９０Ａの下面を直接的または間接的に支持可能である。ターンテーブル３４Ａは、磁性体からなり、平板部３４１Ａと円筒部３４３Ａとを、有している。平板部３４１Ａは、中心軸９に直交する方向に広がっている。円筒部３４３Ａは、平板部３４１Ａの内周部から上方へ向けて延びている。円筒部３４３Ａは、シャフト３１Ａの外周面に固定されている。
【００１５】
調芯部材３５Ａは、ターンテーブル３４Ａの上方に配置された、樹脂製の部材である。調芯部材３５Ａは、ディスク９０を載置したときに、ディスク９０Ａの内周部を支持する。調芯部材３５Ａは、中央に設けられた円孔の周囲かつ円筒部の上方に、ガイド部３５３Ａを有する。ガイド部３５３Ａの上面には、内周面側へ向かうにつれて下方へ傾斜する傾斜面３５４Ａが、設けられている。傾斜面３５４Ａは、シャフト３１Ａの上端部より上方に位置している。
【００１６】
このモータ１３Ａでは、ターンテーブル３４Ａの円筒部３４３Ａを利用して、シャフト３１Ａとターンテーブル３４Ａとが、強固に固定されている。また、ターンテーブル３４Ａの円筒部３４３Ａとクランパの調芯突起との接触を抑制しつつ、クランパの調芯突起をガイド部３５３Ａの内側へ案内できる。したがって、モータ１３Ａとクランパとを、円滑に調芯できる。
【００１７】
＜２．より具体的な実施形態＞
＜２−１．ディスク駆動装置の構成＞
続いて、本発明のより具体的な実施形態について説明する。
【００１８】
図２は、ディスク駆動装置１の縦断面図である。ディスク駆動装置１は、光ディスク９０を回転させつつ、光ディスク９０に対して情報の読み出しおよび書き込みを行う装置である。図２に示すように、ディスク駆動装置１は、装置ハウジング１１、ディスクトレイ１２、ブラシレスモータ１３、クランパ１４、およびアクセス部１５を備えている。
【００１９】
装置ハウジング１１は、ディスクトレイ１２、ブラシレスモータ１３、クランパ１４、およびアクセス部１５を、内部に収容する筐体である。ディスクトレイ１２は、装置ハウジング１１の外部と内部との間で、リムーバブルメディアである光ディスク９０を搬送するための機構である。ディスクトレイ１２からブラシレスモータ１３へ渡された光ディスク９０は、ブラシレスモータ１３の回転部３とクランパ１４との間に保持され、ブラシレスモータ１３により、中心軸９を中心として回転する。
【００２０】
アクセス部１５は、光ピックアップ機能を備えたヘッド１５１を有している。アクセス部１５は、ブラシレスモータ１３に保持された光ディスク９０の記録面に沿ってヘッド１５１を移動させて、光ディスク９０に対する情報の読み出しおよび書き込みを行う。なお、アクセス部１５は、光ディスク９０に対して、情報の読み出しおよび書き込みの一方のみを行うものであってもよい。
【００２１】
＜２−２．ブラシレスモータの構成＞
続いて、上記のブラシレスモータ１３の構成について説明する。
【００２２】
図３は、ブラシレスモータ１３、クランパ１４、およびこれらに保持される光ディスク９０の縦断面図である。図３に示すように、ブラシレスモータ１３は、静止部２と回転部３とを備えている。静止部２は、ディスク駆動装置１内に設けられた昇降機構１６に、取り付けられている（図２参照）。回転部３は、静止部２に対して回転可能に支持されている。
【００２３】
本実施形態の静止部２は、取付板２１、軸受部２２、および電機子２３を有する。
【００２４】
取付板２１は、ディスク駆動装置１の昇降機構１６に取り付けられた板材である。取付板２１は、中心軸９に直交する方向に広がっている。昇降機構１６を動作させると、取付板２１が、上下に移動する。これにより、ブラシレスモータ１３の全体が上下に移動し、ディスクトレイ１２とブラシレスモータ１３との間で、光ディスク９０の受け渡しが行われる。取付板２１の上面には、回路基板２４が配置されている。回路基板２４には、ブラシレスモータ１３の駆動制御を行うための電子回路が、実装されている。
【００２５】
軸受部２２は、回転部３側のシャフト３１を回転可能に支持するための機構である。軸受部２２は、スリーブ２２１と、スリーブハウジング２２２とを有する。スリーブ２２１は、シャフト３１の外周面を包囲する略円筒状の部材である。スリーブハウジング２２２は、スリーブ２２１を内部に保持する、略カップ状の部材である。スリーブハウジング２２２は、取付板２１に固定されている。
【００２６】
電機子２３は、ステータコア２５およびコイル２６を有する。ステータコア２５は、例えば、複数の電磁鋼板を軸方向（中心軸に沿う方向。以下同じ）に積層した積層鋼板からなる。ステータコア２５は、円環状のコアバック２５１と、コアバック２５１から径方向外側へ向けて突出した複数のティース２５２と、を有する。コアバック２５１は、スリーブハウジング２２２の外周面に、固定されている。複数のティース２５２は、周方向に等間隔に、配列されている。コイル２６は、各ティース２５２に巻かれた導線からなる。
【００２７】
コイル２６に駆動電流を与えると、ステータコア２５の複数のティース２５２に、磁束が発生する。そして、ティース２５２と後述するロータマグネット３３との間の磁束の作用により、周方向のトルクが発生する。その結果、静止部２に対して回転部３が、中心軸９を中心として回転する。回転部３に保持された光ディスク９０は、回転部３とともに、中心軸９を中心として回転する。
【００２８】
本実施形態の回転部３は、シャフト３１、ロータホルダ３２、ロータマグネット３３、ターンテーブル３４、および調芯部材３５を有する。
【００２９】
シャフト３１は、中心軸９に沿って上下に延びる略円柱状の部材である。シャフト３１は、例えば、ステンレス等の金属からなる。シャフト３１は、軸受部２２に支持されつつ、中心軸９を中心として回転する。シャフト３１の上端部は、軸受部２２より上方へ、突出している。
【００３０】
ロータホルダ３２は、ロータマグネット３３を保持しつつ、シャフト３１とともに回転する部材である。ロータホルダ３２は、例えば、亜鉛めっき鋼板等の金属を、プレス成形することにより得られる。ロータホルダ３２は、内側縁部３２１、蓋部３２２、および外壁部３２３を有する。内側縁部３２１は、シャフト３１に固定された略円筒状の部位である。蓋部３２２は、内側縁部３２１の上端部から径方向外側へ向けて広がる、略平板状の部位である。外壁部３２３は、蓋部３２２の外周部から下方へ向けて延びる、略円筒状の部位である。
【００３１】
本実施形態では、ロータホルダ３２の内側縁部３２１の内周面に、シャフト３１が圧入されている。これにより、シャフト３１とロータホルダ３２とが、固定されている。シャフト３１とロータホルダ３２との固定強度を向上させるために、シャフト３１の外周面と内側縁部３２１の内周面との間に、接着剤を介在させてもよい。
【００３２】
ロータマグネット３３は、ロータホルダ３２の外壁部３２３の内周面に、固定されている。本実施形態では、円環状のロータマグネット３３が、使用されている。ロータマグネット３３の内周面には、Ｎ極とＳ極とが、周方向に交互に着磁されている。ステータコア２５のティース２５２の端面と、ロータマグネット３３の内周面とは、径方向に対向している。なお、円環状のマグネットに代えて、周方向に配列された複数のマグネットが、使用されていてもよい。
【００３３】
図４は、回転部３の部分縦断面図である。以下では、図３とともに図４も参照する。
【００３４】
ターンテーブル３４は、クランパ１４との間に光ディスク９０を保持する部材である。ターンテーブル３４は、例えば、亜鉛めっき鋼板等の磁性体を、プレス成形することにより得られる。ターンテーブル３４は、内側平板部３４１、外側平板部３４２、および円筒部３４３を有する。
【００３５】
内側平板部３４１は、調芯部材３５の下方において、径方向に広がっている。内側平板部３４１の下面は、ロータホルダ３２の蓋部３２２の上面と、接触している。これにより、ロータホルダ３２に対するターンテーブル３４の相対的な軸方向の位置が、定められている。外側平板部３４２は、内側平板部３４１より径方向外側かつ内側平板部３４１より高い位置において、径方向に広がっている。外側平板部３４２の外周部は、ロータホルダ３２の外周面より、径方向外側に位置する。内側平板部３４１と外側平板部３４２とは、段差３４４を介して繋がっている。
【００３６】
外側平板部３４２の上面には、円環状のディスク載置部材３６が、配置されている。光ディスク９０は、ディスク載置部材３６の上面に載置される。つまり、本実施形態では、ターンテーブル３４が、ディスク載置部材３６を介して、光ディスク９０の下面を間接的に支持する。なお、ターンテーブル３４は、ディスク載置部材３６を介することなく、光ディスク９０の下面を直接的に支持するものであってもよい。
【００３７】
円筒部３４３は、内側平板部３４１の内周部から、上方へ向けて延びている。円筒部３４３は、例えば、金属板の中央に下穴を形成した後に、当該下穴の周囲をプレスで立ち上げるバーリング加工により、形成される。本実施形態では、円筒部３４３の内周面に、シャフト３１が圧入されている。これにより、シャフト３１とターンテーブル３４とが、強固に固定されている。なお、シャフト３１とターンテーブル３４との固定強度をさらに向上させるために、円筒部３４３とシャフト３１との間に、接着剤を介在させてもよい。
【００３８】
また、本実施形態では、円筒部３４３の上端部が、シャフト３１の上端部より、上方に位置している。したがって、シャフト３１の外周面のうち、ロータホルダ３２より上方に突出した部分の略全体が、円筒部３４３の内周面と接触している。これにより、シャフト３１とターンテーブル３４とが、より強固に固定されている。
【００３９】
図３に示すように、クランパ１４は、クランプマグネット１４１を有している。クランプマグネット１４１は、磁性体からなるターンテーブル３４との間に、軸方向の磁気的吸引力を発生させる。光ディスク９０は、ターンテーブル３４とクランプマグネット１４１との間の磁気的吸引力によって、ディスク載置部材３６とクランパ１４との間に、挟持される。
【００４０】
本実施形態では、ターンテーブル３４の外側平板部３４２の上方に、クランプマグネット１４１が配置されている。このため、これより径方向内側にクランプマグネットを配置する場合と比べて、クランプマグネット１４１の磁極面を、広くとることができる。したがって、クランプマグネット１４１に、フェライト等の安価な磁石を使用しつつ、強い磁力を得ることができる。このようにすれば、ブラシレスモータ１３の製造コストを抑制しつつ、光ディスク９０を強固に保持できる。なお、クランプマグネット１４１に、フェライト以外の磁石、例えばネオジム磁石が、使用されていてもよい。
【００４１】
調芯部材３５は、光ディスク９０の内周部を支持する樹脂製の部材である。調芯部材３５は、ターンテーブル３４の上方に、配置されている。調芯部材３５は、基部３５１、複数の調芯爪３５２、およびガイド部３５３を有する。
【００４２】
基部３５１は、ターンテーブル３４の内側平板部３４１の上方に配置された、環状の部位である。基部３５１の下面は、内側平板部３４１の上面に接触している。本実施形態では、基部３５１の内周面に、ターンテーブル３４の円筒部３４３が、圧入されている。また、ターンテーブル３４の円筒部３４３の外周面と、基部３５１の内周面との間には、接着剤３７が介在している。すなわち、本実施形態では、圧入と接着との双方を利用して、ターンテーブル３４と調芯部材３５とが、固定されている。ただし、圧入のみで十分な固定強度が得られる場合には、接着剤３７を省略してもよい。
【００４３】
ターンテーブル３４の円筒部３４３の外周面には、接着剤３７を保持するための溝３４５が、設けられている。このような溝３４５を設けると、円筒部３４３と基部３５１との間に接着剤を介在させつつ、円筒部３４３の外周面と、基部３５１の内周面とを、接近させることができる。したがって、ターンテーブル３４の円筒部３４３と調芯部材３５との同軸度を、向上させることができる。
【００４４】
複数の調芯爪３５２は、基部３５１の外周部において、径方向外側かつ下方へ向けて、延びている。複数の調芯爪３５２は、周方向に等間隔に配列されている。光ディスク９０を保持するときには、調芯爪３５２が、径方向内側に撓みつつ、光ディスク９０の内周面と接触する。これにより、光ディスク９０の中心が、中心軸９上に位置決めされる。
【００４５】
ガイド部３５３は、基部３５１の内周面の上端部付近から、径方向内側へ向けて延びている。ガイド部３５３は、調芯部材３５の中央に設けられた円孔の周囲、かつ、ターンテーブル３４の円筒部３４３の上方に、配置されている。ガイド部３５３の上面には、内周面側へ向かうにつれて下方へ傾斜する傾斜面３５４が、設けられている。
【００４６】
本実施形態では、ターンテーブル３４の円筒部３４３の上端部が、シャフト３１の上端部より上方に位置する。また、円筒部３４３よりさらに上方に、ガイド部３５３が位置する。このため、シャフト３１の上方に、円筒部３４３の上端部付近の内周面と、ガイド部３５３の内周面とに囲まれ、上方へ向けて開いた空間である中央穴３８が、形成されている。
【００４７】
一方、図３に示すように、クランパ１４の下面の中央には、下方へ向けて突出する調芯突起１４２が、設けられている。ブラシレスモータ１３とクランパ１４とを軸方向に接近させると、上記の中央穴３８に、クランパ１４の調芯突起１４２が挿入される。それにより、回転部３に対するクランパ１４の径方向の位置ずれが、許容範囲内に抑えられる。仮に、クランパ１４の調芯突起１４２が、中心軸９からずれていたとすると、調芯突起１４２は、ガイド部３５３の傾斜面３５４に当接する。そして、傾斜面３５４に沿って、調芯突起１４２がガイド部３５３の内側へ、案内される。
【００４８】
また、このブラシレスモータ１３では、調芯部材３５のガイド部３５３が、ターンテーブル３４の円筒部３４３の上面を、覆っている。すなわち、円筒部３４３の上面と、調芯部材３５のガイド部３５３とが、平面視において重なっている。これにより、クランパ１４の調芯突起１４２が、円筒部３４３の上端部に接触することが、抑制されている。このようにすれば、円筒部３４３との接触による調芯突起１４２の損傷を、抑制できる。そして、ブラシレスモータ１３とクランパ１４とを、円滑に調芯できる。
【００４９】
特に、本実施形態では、ガイド部３５３の内周縁部が、円筒部３４３の上端部付近の内周面より、径方向内側に位置している。これにより、調芯突起１４２と円筒部３４３との接触が、より確実に防止されている。
【００５０】
また、図３および図４に示すように、本実施形態では、円筒部３４３の上端部と、ガイド部３５３の下面との間には、軸方向の隙間が設けられている。そして、調芯部材３５の基部３５１の下面と、ターンテーブル３４の内側平板部３４１の上面とが、接触している。すなわち、基部３５１の下面と内側平板部３４１の上面とを基準として、ターンテーブル３４に対する調芯部材３５の軸方向の相対位置が、定められている。このようにすれば、ガイド部３５３の下面と円筒部３４３の上面とを接触させる場合より、ターンテーブル３４に対する調芯部材３５の軸方向の位置を、安定させることができる。
【００５１】
また、本実施形態では、内側平板部３４１より高い位置に、外側平板部３４２が配置されている。このため、ディスク載置部材３６の上面から調芯部材３５の上面までの軸方向の寸法を、抑制できる。これにより、ブラシレスモータをより薄型化できる。
【００５２】
また、本実施形態では、ターンテーブル３４の内側平板部３４１の上面に、凹部３４６が設けられている。凹部３４６は、調芯爪３５２の下端部に対応する位置に、配置されている。このような凹部３４６を設けると、調芯爪３５２が撓んだときに、調芯爪３５２と内側平板部３４１とが接触することを、抑制できる。また、調芯爪３５２とターンテーブル３４とを、軸方向により接近させる設計が可能となる。したがって、ブラシレスモータ１３をより薄型化できる。
【００５３】
凹部３４６は、複数の調芯爪３５２の位置に応じて、周方向に複数設けられていてもよいし、周方向に連続する単一の環状溝であってもよい。環状溝を採用すれば、ターンテーブル３４の凹部３４６に対して、調芯爪３５２を、任意の周方向位置に配置できる。したがって、ターンテーブル３４に調芯部材３５を取り付ける工程において、周方向の位置決め作業が不要となる。
【００５４】
＜３．変形例＞
以上、本発明の例示的な実施形態について説明したが、本発明は上記の実施形態に限定されるものではない。以下では、種々の変形例について、上記の実施形態との相違点を中心に説明する。
【００５５】
図５は、一変形例に係る回転部３Ｂの部分縦断面図である。図５の例では、ターンテーブル３４Ｂの円筒部３４３Ｂの上端部が、シャフト３１Ｂの上端部より、下方に位置している。このようにすれば、円筒部３４３Ｂの上端部が、中央穴３８Ｂに、露出しない。したがって、調芯突起と円筒部３４３Ｂとの接触を、より確実に防止できる。
【００５６】
また、図５の例では、調芯部材３５Ｂのガイド部３５３Ｂの下端部付近の内周面に、シャフト３１Ｂの上端部が圧入されている。このように、ガイド部３５３Ｂの内周縁部を、シャフト３１Ｂの外周面に接触させれば、シャフト３１Ｂに対して調芯部材３５Ｂを、直接的に位置決めできる。このため、シャフト３１Ｂと調芯部材３５Ｂとの間に他の部材が配置される場合と比べて、シャフト３１Ｂと調芯部材３５Ｂとの同軸度を、向上させることができる。
【００５７】
なお、図５の例では、調芯部材３５Ｂの基部３５１Ｂの下面と、ターンテーブル３４Ｂの内側平板部３４１Ｂの上面との間に、接着剤３７Ｂが介在している。これにより、ターンテーブル３４Ｂに対して調芯部材３５Ｂが、固定されている。すなわち、図５の例では、調芯部材３５Ｂが、シャフト３１Ｂとターンテーブル３４Ｂとの双方に対して、固定されている。ただし、調芯部材３５Ｂに対するシャフト３１Ｂの圧入で、調芯部材３５Ｂの固定強度が十分に得られる場合には、接着剤３７Ｂを省略してもよい。
【００５８】
図６は、他の変形例に係る回転部３Ｃの部分縦断面図である。図６の例では、ターンテーブル３４Ｃの内側平板部３４１Ｃに、複数の貫通孔３４６Ｃが設けられている。複数の貫通孔３４６Ｃは、調芯爪３５２Ｃの下端部の位置に応じて、周方向に等間隔に配列されている。このようにすれば、上記実施形態の凹部３４６より低い位置まで、調芯爪３５２Ｃの撓みを許容できる。このため、調芯爪３５２Ｃとターンテーブル３４Ｃとを、軸方向により接近させる設計が可能となる。したがって、ブラシレスモータを、軸方向により薄型化できる。
【００５９】
図７は、他の変形例に係る回転部３Ｄの部分縦断面図である。図７の例では、ターンテーブル３４Ｄの内側平板部３４１Ｄの下面に、凸部３４７Ｄが設けられている。凸部３４７Ｄは、凹部３４６Ｄの裏側に位置している。そして、ロータホルダ３２Ｄの蓋部３２２Ｄの上面に、凸部３４７Ｄを当接させている。すなわち、内側平板部３４１Ｄの下面の一部分のみを、ロータホルダ３２Ｄに当接させている。このようにすれば、蓋部３２２Ｄの上面や内側平板部３４１Ｄの下面の全体を、高い平面精度で仕上げる必要はない。したがって、ロータホルダ３２Ｄの製造コストを低減できる。
【００６０】
なお、凸部３４７Ｄの寸法精度を得にくい場合には、凸部３４７Ｄ以外の箇所において、ターンテーブル３４Ｄとロータホルダ３２Ｄとを、部分的に接触させるようにしてもよい。例えば、ロータホルダ３２Ｄの蓋部３２２Ｄを、凸部３４７Ｄを避けるように変形させ、ターンテーブル３４Ｄの内側平板部３４１Ｄの下面のうち、凸部３４７Ｄ以外の面に、ロータホルダ３２Ｄを当接させてもよい。
【００６１】
図８は、他の変形例に係る回転部３Ｅの部分縦断面図である。図８の例では、ロータホルダ３２Ｅの蓋部３２２Ｅの上面と、ターンテーブル３４Ｅの内側平板部３４１Ｅの下面とが、軸方向に離間している。このようにすれば、ロータホルダ３２Ｅとターンテーブル３４Ｅとが、互いに、軸方向の位置を制限しない。したがって、ロータホルダ３２Ｅとターンテーブル３４Ｅとを、軸方向に個別に位置決めできる。
【００６２】
図９は、他の変形例に係る回転部３Ｆの部分縦断面図である。図９の例では、ターンテーブル３４Ｆの内側平板部３４１Ｆの軸方向の厚みｄ１より、外側平板部３４２Ｄの軸方向の厚みｄ２の方が、厚くなっている。このようにすれば、外側平板部３４２Ｄとクランプマグネットとの間の磁気的吸引力を、向上させることができる。一方、内側平板部３４１Ｆの軸方向の厚みｄ１を薄くすることで、調芯爪３５２Ｆと内側平板部３４１Ｆとの接触を、抑制できる。
【００６３】
ターンテーブルの円筒部は、周方向に連続した円筒状に形成されていてもよいし、周方向に間欠的に形成されていてもよい。また、ターンテーブルは、内側平板部と外側平板部との区別がない平板部を有するものであってもよい。
【００６４】
また、ターンテーブルの固定強度をさらに向上させるために、ターンテーブルの下面とロータホルダの上面とを、接着剤を使って固定してもよい。
【００６５】
また、本発明のモータは、上記の実施形態や変形例のように、光ディスクを回転させるためのものであってもよく、磁気ディスク等の他の記録ディスクを回転させるためのものであってもよい。
【００６６】
また、上記の実施形態や変形例に登場した要素を、矛盾が生じない範囲で、適宜に組み合わせてもよい。
【産業上の利用可能性】
【００６７】
本発明は、モータおよびディスク駆動装置に利用できる。
【符号の説明】
【００６８】
１  ディスク駆動装置
２，２Ａ  静止部
３，３Ａ，３Ｂ，３Ｃ，３Ｄ，３Ｅ，３Ｆ  回転部
９，９Ａ  中心軸
１１  装置ハウジング
１２  ディスクトレイ
１３，１３Ａ  ブラシレスモータ
１４  クランパ
１５  アクセス部
２１  取付板
２２，２２Ａ  軸受部
２３，２３Ａ  電機子
３１，３１Ａ，３１Ｂ  シャフト
３２，３２Ａ，３２Ｄ，３２Ｅ  ロータホルダ
３３，３３Ａ  ロータマグネット
３４，３４Ａ，３４Ｂ，３４Ｃ，３４Ｄ，３４Ｅ，３４Ｆ  ターンテーブル
３５，３５Ａ，３５Ｂ  調芯部材
３６  ディスク載置部材
３７，３７Ｂ  接着剤
３８，３８Ｂ  中央穴
９０，９０Ａ  光ディスク
１４１  クランプマグネット
１４２  調芯突起
３２１  内側縁部
３２２，３２２Ｄ，３２２Ｅ  蓋部
３２３  外壁部
３４１，３４１Ｂ，３４１Ｃ，３４１Ｄ，３４１Ｅ，３４１Ｆ  内側平板部
３４１Ａ  平板部
３４２，３４２Ｄ  外側平板部
３４３，３４３Ａ，３４３Ｂ  円筒部
３４４  段差
３４５  溝
３４６，３４６Ｄ  凹部
３４６Ｃ  貫通孔
３４７Ｄ  凸部
３５１，３５１Ｂ  基部
３５２，３５２Ｃ，３５２Ｆ  調芯爪
３５３，３５３Ａ，３５３Ｂ  ガイド部
３５４，３５４Ａ  傾斜面
【図１】
2012243370.tif 000003
【図２】
2012243370.tif 000004
【図３】
2012243370.tif 000005
【図４】
2012243370.tif 000006
【図５】
2012243370.tif 000007
【図６】
2012243370.tif 000008
【図７】
2012243370.tif 000009
【図８】
2012243370.tif 000010
【図９】
2012243370.tif 000011